(57)【要約】【課題】小型かつ低コストで、複数の無線通信を行う無線通信装置を提供する。【解決手段】無線通信装置は、局部発振信号を発生するＰＬＬ回路３４と、入力される信号を局部発振信号と混合する混合器１２，１５と、入力される信号をろ波するＬＰＦ１９，２４と、ＬＰＦ１９，２４から出力される信号を増幅するＶＧＡ２０，２５と、スイッチ１１，１３，１４，１６，１７，２１，２２，２６とを備える。スイッチ１１，１３，１４，１６，１７，２１，２２，２６は、受信時において、受信された無線受信信号を混合器１２，１５に入力し、混合器１２，１５からの混合後の信号をＬＰＦ１９，２４に入力し、ＶＧＡ２０，２５からの中間周波信号を出力する一方、送信時において、送信される中間周波信号をＬＰＦ１９，２４に入力し、ＶＧＡ２０，２５からの中間周波信号を混合器１２，１５に入力し、混合器１２，１５からの混合後の信号を出力するように切り替える。【選択図】図１
2008177911.tif 000002
【特許請求の範囲】
【請求項１】
所定の局部発振周波数を有する局部発振信号を発生する局部発振手段と、
入力される信号を前記局部発振信号と混合して混合後の信号を出力する混合手段と、
入力される信号をろ波して出力するフィルタ手段と、
前記フィルタ手段から出力される信号を増幅して出力する中間周波増幅手段とを備えた無線通信装置において、
受信時において、受信された無線受信信号を前記混合手段に入力し、前記混合手段から出力される混合後の信号を前記フィルタ手段に入力し、前記中間周波増幅手段から出力される中間周波信号を出力する一方、送信時において、送信される中間周波信号を前記フィルタ手段に入力し、前記中間周波増幅手段から出力される中間周波信号を前記混合手段に入力し、前記混合手段から出力される混合後の信号を出力するように切り替えるスイッチ手段を備えたことを特徴とする無線通信装置。
【請求項２】
前記フィルタ手段は、少なくとも互いに異なる第１と第２のろ波特性を有し、受信時において第１のろ波特性を用いて入力される信号をろ波して出力する一方、送信時において第２のろ波特性を用いて入力される信号をろ波して出力することを特徴とする請求項１記載の無線通信装置。
【請求項３】
前記局部発振手段は、少なくとも互いに異なる局部発振周波数を有する第１と第２の局部発振信号を発生し、第１の受信時において、前記第１の局部発振周波数を有する局部発振信号を発生する一方、第２の受信時及び送信時において、前記第２の局部発振周波数を有する局部発振信号を発生し、
前記フィルタ手段は、少なくとも互いに異なる第１と第２と第３のろ波特性を有し、第１の受信時において第１のろ波特性を用いて入力される信号をろ波して出力し、第２の受信時において第２のろ波特性を用いて入力される信号をろ波して出力し、送信時において第３のろ波特性を用いて入力される信号をろ波して出力することを特徴とする請求項１記載の無線通信装置。
【請求項４】
前記第１の受信時はＧＰＳ受信時であり、前記第２の受信時及び送信時は無線ＬＡＮ通信時であることを特徴とする請求項３記載の無線通信装置。
【発明の詳細な説明】
【技術分野】
【０００１】
本発明は、例えば、ＧＰＳ通信、無線ＬＡＮ通信等の無線通信を行う無線通信装置に関する。
【背景技術】
【０００２】
近年、携帯電話等の携帯端末装置にも無線ＬＡＮ通信等の無線通信機能が実装され、それに伴い年々無線通信装置の高性能化、小型化及び低価格化が進んでいる。従来例に係る無線通信装置は、例えば無線ＬＡＮ通信及びＧＰＳ通信の両方を行うには、無線ＬＡＮ通信の送信用回路と、無線ＬＡＮ通信の受信用回路と、ＧＰＳ通信用の受信用回路とを別個に備え、別個に制御を行う。
【０００３】
【特許文献１】特許第３７９０７３４号公報。
【特許文献２】特開２００２−６４５７６号公報。
【発明の開示】
【発明が解決しようとする課題】
【０００４】
しかしながら、従来例の無線通信装置においては、無線ＬＡＮ通信の送信、無線ＬＡＮ通信の受信及びＧＰＳ通信の受信のそれぞれに対して別個に回路を備えるので、回路部品点数が増大し、小型化が困難であるという問題があった。
【０００５】
本発明の目的は、以上の問題点を解決し、小型かつ低コストで、複数の無線通信を行う無線通信装置を提供することにある。
【課題を解決するための手段】
【０００６】
第１の発明に係る無線通信装置は、所定の局部発振周波数を有する局部発振信号を発生する局部発振手段と、入力される信号を前記局部発振信号と混合して混合後の信号を出力する混合手段と、入力される信号をろ波して出力するフィルタ手段と、前記フィルタ手段から出力される信号を増幅して出力する中間周波増幅手段とを備えた無線通信装置において、受信時において、受信された無線受信信号を前記混合手段に入力し、前記混合手段から出力される混合後の信号を前記フィルタ手段に入力し、前記中間周波増幅手段から出力される中間周波信号を出力する一方、送信時において、送信される中間周波信号を前記フィルタ手段に入力し、前記中間周波増幅手段から出力される中間周波信号を前記混合手段に入力し、前記混合手段から出力される混合後の信号を出力するように切り替えるスイッチ手段を備えたことを特徴とする。
【０００７】
上記無線通信装置において、前記フィルタ手段は、少なくとも互いに異なる第１と第２のろ波特性を有し、受信時において第１のろ波特性を用いて入力される信号をろ波して出力する一方、送信時において第２のろ波特性を用いて入力される信号をろ波して出力することを特徴とする。
【０００８】
とって代わって、上記無線通信装置において、前記局部発振手段は、少なくとも互いに異なる局部発振周波数を有する第１と第２の局部発振信号を発生し、第１の受信時において、前記第１の局部発振周波数を有する局部発振信号を発生する一方、第２の受信時及び送信時において、前記第２の局部発振周波数を有する局部発振信号を発生し、前記フィルタ手段は、少なくとも互いに異なる第１と第２と第３のろ波特性を有し、第１の受信時において第１のろ波特性を用いて入力される信号をろ波して出力し、第２の受信時において第２のろ波特性を用いて入力される信号をろ波して出力し、送信時において第３のろ波特性を用いて入力される信号をろ波して出力することを特徴とする。ここで、前記第１の受信時はＧＰＳ受信時であり、前記第２の受信時及び送信時は無線ＬＡＮ通信時であってもよい。
【発明の効果】
【０００９】
本発明に係る無線通信装置によれば、受信時において、受信された無線受信信号を混合手段に入力し、混合手段からの混合後の信号をフィルタ手段に入力し、中間周波増幅手段からの中間周波信号を出力する一方、送信時において、送信される中間周波信号をフィルタ手段に入力し、中間周波増幅手段からの中間周波信号を混合手段に入力し、混合手段からの混合後の信号を出力するように切り替えるスイッチ手段を備えることにより、混合手段とフィルタ手段と中間周波増幅手段とを送受信で共用でき、その結果、回路部品点数を低減して小型かつ低コストである無線通信装置を実現することができる。
【発明を実施するための最良の形態】
【００１０】
以下、本発明に係る実施形態について図面を参照して説明する。なお、以下の各実施形態において、同様の構成要素については同一の符号を付している。
【００１１】
実施形態．
図１は、本発明の一実施形態に係る無線通信装置の構成を示すブロック図である。図１において、無線通信装置は、例えば、携帯電話等の携帯端末装置に搭載され、アンテナ１，２と、帯域通過フィルタ（以下、ＢＰＦという。）３，７，１０と、低雑音増幅器（以下、ＬＮＡという。）４，８と、電力増幅器（以下、ＰＡという。）９と、混合器１２，１５と、アナログベースバンド回路１８，２３と、アナログ／デジタル変換器（以下、ＡＤＣという。）２７と、デジタル／アナログ変換器（以下、ＤＡＣという。）３１と、デジタル復調器２８，２９と、デジタル変調器３２と、位相ロックループ回路（以下、ＰＬＬ回路という。）３４と、９０度移相器３３と、スイッチ５，６，１１，１３，１４，１６，１７，２１，２２，２６，３０，３５と、コントローラ３６と、信号合成器３７とを備えて構成される。
【００１２】
アンテナ１は、ＧＰＳ衛星から、ＧＰＳ通信による無線信号を受信する。ＢＰＦ３は、アンテナ１により受信されたＧＰＳ衛星からの所望の無線受信信号を帯域通過ろ波して出力する。ＬＮＡ４は、ＢＰＦ３により帯域通過ろ波された無線受信信号の所定の受信帯域の信号を、低域周波数変換に必要なレベルに増幅して出力する。アンテナ２は、無線ＬＡＮの基地局から、例えばＣＳＭＡ／ＣＡ方式の無線ＬＡＮ通信等の半二重通信方式による無線信号を受信し、もしくは、無線ＬＡＮの基地局へ無線信号を送信する。スイッチ６は、切替信号ＳＳＷ２に応じてその接点が制御され、接点ａが選択されたとき、アンテナ２とＢＰＦ７とを接続し、接点ｂが選択されたとき、アンテナ２とＰＡ９とを接続する。ＢＰＦ７は、アンテナ２により受信された所望の無線受信信号を帯域通過ろ波して出力する。ＬＮＡ８は、ＢＰＦ７により帯域通過ろ波された無線受信信号の所定の受信帯域の信号を、低域周波数変換に必要なレベルに増幅して出力する。スイッチ５は、切替信号ＳＳＷ１に応じてその接点が制御され、接点ａが選択されたとき、ＬＮＡ８とスイッチ１１及び１４とを接続し、接点ｂが選択されたとき、ＬＮＡ４とスイッチ１１及び１４とを接続する。
【００１３】
スイッチ１１は、切替信号ＳＳＷ２によってその接点が制御され、接点ａが選択されたとき、スイッチ５と混合器１２とを接続してスイッチ５からの無線受信信号を混合器１２に出力し、接点ｂが選択されたとき、スイッチ２１と混合器１２とを接続する。混合器１２は、スイッチ１１において接点ａが選択されているとき、ＰＬＬ回路３４からの局部発振信号と、スイッチ５，１１を介して入力された無線受信信号とを混合して混合後のＩ信号を出力し、スイッチ１１において接点ｂが選択されているとき、ＰＬＬ回路３４からの局部発振信号と、スイッチ２１から入力される送信すべき中間周波信号とを混合して混合後の信号を出力する。スイッチ１３は、切替信号ＳＳＷ２によってその接点が制御され、接点ａが選択されたとき、混合器１２とスイッチ１７とを接続し、接点ｂが選択されたとき、混合器１２と信号合成器３７とを接続する。
【００１４】
スイッチ１４は、切替信号ＳＳＷ２によってその接点が制御され、接点ａが選択されたとき、スイッチ５と混合器１５とを接続してスイッチ５からの無線受信信号を混合器１５に出力し、接点ｂが選択されたとき、スイッチ２６と混合器１５とを接続する。混合器１５は、スイッチ１４において接点ａが選択されているとき、ＰＬＬ回路３４から９０度移相器３３を介して入力した局部発振信号と、スイッチ５，１４を介して入力された受信した無線受信信号とを混合して混合後のＱ信号を出力し、スイッチ１４において接点ｂが選択されているとき、ＰＬＬ回路３４から９０度移相器３３を介して入力した局部発振信号と、スイッチ２６から入力される送信すべき中間周波信号とを混合して混合後の信号を出力する。スイッチ１６は、切替信号ＳＳＷ２によってその接点が制御され、接点ａが選択されたとき、混合器１５とスイッチ２２とを接続し、接点ｂが選択されたとき、混合器１５と信号合成器３７とを接続する。信号合成器３７は、スイッチ１３及び１６に接続され、混合器１２で周波数変換された後スイッチ１３から入力されたＩ信号と、混合器１５で周波数変換された後スイッチ１６から入力されたＱ信号を合成してＢＰＦ１０に出力する。
【００１５】
スイッチ１７は、切替信号ＳＳＷ２によってその接点が制御され、接点ａが選択されたとき、スイッチ１３とアナログベースバンド回路１８とを接続し、接点ｂが選択されたとき、ＤＡＣ３１とアナログベースバンド回路１８とを接続する。アナログベースバンド回路１８は、低域通過フィルタ（以下、ＬＰＦという。）１９と可変利得増幅器（以下、ＶＧＡという。）２０とを備え、後述のコントローラ３６から入力される中間周波数制御信号Ｓｉｆに基づく中間周波数で、入力された信号の帯域と利得とを調整して中間周波信号を生成して出力する。ＬＰＦ１９は、スイッチ１７から入力された混合後の信号又は中間周波信号を所望の帯域成分を通過させるために低域通過ろ波し、ＶＧＡ２０は、ＬＰＦ１９からの混合後の信号又は中間周波信号を最適なレベルに調整するように増幅して出力する。ＬＰＦ１９及びＶＧＡ２０は、後述のコントローラ３６から入力される中間周波数制御信号Ｓｉｆにより、それぞれカットオフ周波数及び調整すべき利得量を変更される。スイッチ２１は、切替信号ＳＳＷ２によってその接点が制御され、接点ａが選択されたとき、アナログベースバンド回路１８とＡＤＣ２７とを接続し、接点ｂが選択されたとき、アナログベースバンド回路１８とスイッチ１１とを接続する。
【００１６】
スイッチ２２は、切替信号ＳＳＷ２によってその接点が制御され、接点ａが選択されたとき、スイッチ１６とアナログベースバンド回路２３とを接続し、接点ｂが選択されたとき、ＤＡＣ３１とアナログベースバンド回路２３とを接続する。アナログベースバンド回路２３は、ＬＰＦ２４とＶＧＡ２５とを備え、後述のコントローラ３６から入力される中間周波数制御信号Ｓｉｆに基づく中間周波数で、入力された信号の帯域と利得とを調整して中間周波信号を生成して出力する。ＬＰＦ２４は、スイッチ２２から入力された混合後の信号又は中間周波信号を所望の帯域成分を通過させるために低域通過ろ波し、ＶＧＡ２５は、ＬＰＦ２４からの混合後の信号又は中間周波信号を最適なレベルに調整するように増幅して出力する。ＬＰＦ２４及びＶＧＡ２５は、後述のコントローラ３６から入力される中間周波数制御信号Ｓｉｆにより、それぞれカットオフ周波数及び調整すべき利得量を変更される。スイッチ２６は、切替信号ＳＳＷ２によってその接点が制御され、接点ａが選択されたとき、アナログベースバンド回路２３とＡＤＣ２７とを接続し、接点ｂが選択されたとき、アナログベースバンド回路２３とスイッチ１４とを接続する。
【００１７】
デジタル変調器３２は、ＯＦＤＭ変調方式のＢＰＳＫ、ＱＰＳＫ、１６ＱＡＭ、６４ＱＡＭの通信方式、又は、ＣＣＫ、ＤＳＳＳ等のＳＳ通信方式で、送信すべきデジタルデータＤｔｒｓｗに従って中間周波数信号の搬送波をデジタル変調して、互いに直交するＩデジタル信号及びＱデジタル信号を含む２系列のデジタル中間周波信号を生成して出力する。ＤＡＣ３１は、入力されたＩデジタル信号及びＱデジタル信号をそれぞれＩ信号及びＱ信号の中間周波信号にデジタル／アナログ変換し、変換されたＩ信号をスイッチ１７に出力し、変換されたＱ信号をスイッチ２２に出力する。
【００１８】
スイッチ３０は、切替信号ＳＳＷ１によってその接点が制御され、接点ａが選択されたとき、無線ＬＡＮ通信用のサンプルクロック信号ＣＬＣＳＡＭｗをＡＤＣ２７に入力し、接点ｂが選択されたとき、ＧＰＳ通信用のサンプルクロック信号ＣＬＣＳＡＭｇをＡＤＣ２７に入力する。ＡＤＣ２７は、スイッチ２１及び２６を介してアナログベースバンド回路１８及び２３からそれぞれ入力したＩ信号及びＱ信号の中間周波信号を、それぞれＩデジタル信号及びＱデジタル信号にアナログ／デジタル変換した後、デジタル復調器２８又は２９に出力する。このとき、ＧＰＳ通信と無線ＬＡＮ通信とでは中間周波数帯域が異なるので、ＡＤＣ２７は、信号ＳＳＷ１により制御されるスイッチ３０により、ＧＰＳ受信時において、サンプルクロック信号ＣＬＫＳＡＭｇを用いて例えば２ビットのアナログ／デジタル変換を行い、無線ＬＡＮ受信時において、サンプルクロックＣＬＫＳＡＭｗを用いて例えば８ビットのアナログ／デジタル変換を行う。この場合、無線ＬＡＮ通信用の８ビットのＡＤＣがあれば、ＧＰＳ通信の受信においても共用できる。デジタル復調器２８は、ＢＰＳＫ方式の復調機能を備え、ＧＰＳ受信時において、ＡＤＣ２７から入力したＩデジタル信号及びＱデジタル信号を含む各デジタル信号を１つのデジタルデータにデジタル復調した後、ＧＰＳ受信データＤｒｃｖｇとして、図示しない信号処理回路に出力する。デジタル復調器２９は、無線ＬＡＮ受信時において、デジタル変調器３２が有する変調方式で変調された信号を復調することができる復調方式で、ＡＤＣ２７から入力した上記各受信デジタル信号を１つのデジタルデータにデジタル復調した後、無線ＬＡＮ受信データＤｒｃｖｗとして、図示しない上位レイヤである信号処理回路に出力する。
【００１９】
スイッチ３５は、切替信号ＳＳＷ１によってその接点が制御され、接点ａが選択されたとき、図示しないクロック生成器から入力される無線ＬＡＮ通信用の基準クロック信号ＣＬＫｗをＰＬＬ回路３４に入力し、接点ｂが選択されたとき、図示しないクロック生成器から入力されるＧＰＳ通信用の基準クロック信号ＣＬＫｇをＰＬＬ回路３４に入力する。ＰＬＬ回路３４は、切替信号ＳＳＷ１に応じてクロック分周比、チャージポンプの定数、ループフィルタ係数等のパラメータを決定し、入力した基準クロック信号を決定されたパラメータを用いて分周することによって、入力した基準クロック信号に同期した局部発振周波数を有する局部発振信号を生成して出力する。９０度移相器３３は、入力された局部発振信号の位相を９０度だけ移相して出力する。
【００２０】
ＢＰＦ１０は、信号合成器３７に接続され、信号合成器３７により合成された信号を帯域通過ろ波した後、送信すべき無線送信信号としてＰＡ９に出力する。ＰＡ９は、ＢＰＦ１０に接続され、ＢＰＦ１０から入力された送信すべき無線送信信号の電力を増幅したのち、スイッチ６に出力する。
【００２１】
コントローラ３６は、例えば、無線通信装置のアプリケーションなどの上位レイヤ（図示せず）等の指示により、各スイッチ５，３０，３５の接点及びＰＬＬ回路３４の変数を切り替えるための切替信号ＳＳＷ１と、各スイッチ６，１１，１３，１４，１６，１７，２１，２２，２６の接点を切り替えるための切替信号ＳＳＷ２と、無線ＬＡＮの送信時又は受信時もしくはＧＰＳ受信時で互いに異なり、アナログベースバンド回路１８及び２３の中間周波数を各無線通信に適した値に制御するための中間周波数制御信号Ｓｉｆを生成して出力する。各スイッチ５，３０，３５は、上記コントローラ３６からの切替信号ＳＳＷ１に応じて、無線ＬＡＮ受信時又は無線ＬＡＮ送信時に、接点ａ側に切り替えられ、ＧＰＳ受信時に、接点ｂ側に切り替えられる。各スイッチ６，１１，１３，１４，１６，１７，２１，２２，２６は、上記コントローラ３６からの切替信号ＳＳＷ２に応じて、無線ＬＡＮ受信時に、接点ａ側に切り替えられ、無線ＬＡＮ送信時に、接点ｂ側に切り替えられる。
【００２２】
なお、上記構成を有する無線通信装置において、ＬＮＡ４，８と、ＰＡ９と、ＢＰＦ１０と、混合器１２，１５と、信号合成器３７と、アナログベースバンド回路１８，２３と、ＰＬＬ回路３４と、９０度移相器３３と、スイッチ５，１１，１３，１４，１６，１７，２１，２２，２６，３５とは、１つのＩＣチップＣ１上に形成され、ＡＤＣ２７と、デジタル復調器２８，２９と、スイッチ３０と、ＤＡＣ３１と、デジタル変調器３２とは、別のＩＣチップＣ２上に形成されている。
【００２３】
図１のように構成された無線通信装置において、まず、アンテナ２から、無線ＬＡＮ通信による無線信号を受信する場合の動作について説明する。
【００２４】
コントローラ３６は、スイッチ５，３０，３５を接点ａ側に切り替え、ＰＬＬ回路３４の局部発振周波数を無線ＬＡＮ通信用の値に設定する切替信号ＳＳＷ１と、スイッチ６，１１，１３，１４，１６，１７，２１，２２，２６を接点ａ側に切り替える切替信号ＳＳＷ２と、アナログベースバンド回路１８及び２３の中間周波数を無線ＬＡＮ受信に適した値に制御する中間周波数制御信号Ｓｉｆを出力する。アンテナ２から入力された無線ＬＡＮ通信による無線受信信号は、スイッチ６を介してＢＰＦ７に入力され、所望の帯域成分が帯域通過ろ波されかつ不要周波数成分が除去された後、ＬＮＡ８により増幅される。ＬＮＡ８により増幅された無線受信信号は、スイッチ５の接点ａ及びスイッチ１１の接点ａを介して混合器１２に入力されるとともに、スイッチ５からスイッチ１４の接点ａを介して混合器１５に入力される。混合器１２は、無線ＬＡＮ用基準クロックＣＬＫｗに基づく局部発振周波数を有する局部発振信号と、無線受信信号とを混合し、混合後の信号をスイッチ１３，１７を介してアナログベースバンド回路１８に出力する。混合器１５は、上記局部発振信号をさらに９０度移相器３３により移相した局部発振信号と、無線受信信号とを混合し、混合後の信号をスイッチ１６，２２を介してアナログベースバンド回路２３に出力する。アナログベースバンド回路１８及び２３は、コントローラ３６から入力された中間周波数制御信号Ｓｉｆに基づく中間周波数で、それぞれ入力されたＩ信号及びＱ信号の帯域と利得とを調整して中間周波信号を生成し、生成された各中間周波信号をそれぞれスイッチ２１及び２６を介してＡＤＣ２７に出力する。ＡＤＣ２７は、各中間周波信号を、無線ＬＡＮ用サンプルクロックＣＬＫＳＡＭｗに基づいて受信デジタル信号にアナログ／デジタル変換し、変換後の各受信デジタル信号をデジタル復調器２９に出力する。デジタル復調器２９は、変換後の各受信デジタル信号を１つのデジタルデータにデジタル復調し、無線ＬＡＮ受信データＤｒｃｖｗとして出力する。
【００２５】
なお、無線ＬＡＮ受信時に動作する必要の無い回路（例えば、ＢＰＦ３，１０、ＬＮＡ４、ＰＡ９、デジタル復調器２８、ＤＡＣ３１及びデジタル変調器３２）は、図示しない上位レイヤである信号処理回路等からの制御信号により電流をオフにされて省電力モードに制御されてもよい。
【００２６】
次に、アンテナ２から、無線ＬＡＮ通信を用いて無線信号を送信する場合の動作について説明する。
【００２７】
コントローラ３６は、スイッチ５，３０，３５を接点ａ側に切り替え、ＰＬＬ回路３４の局部発振周波数を無線ＬＡＮ通信用の値に設定する切替信号ＳＳＷ１と、スイッチ６，１１，１３，１４，１６，１７，２１，２２，２６を接点ｂ側に切り替える切替信号ＳＳＷ２と、アナログベースバンド回路１８及び２３の中間周波数を無線ＬＡＮ送信に適した値に制御する中間周波数制御信号Ｓｉｆを出力する。外部から入力された無線送信すべきデータＤｔｒｓｗは、デジタル変調器３２により、互いに直交するＩデジタル信号とＱデジタル信号とにデジタル変調された後、ＤＡＣ３１によりそれぞれＩ信号及びＱ信号にデジタル／アナログ変換される。変換されたＩ信号は、スイッチ１７を介してアナログベースバンド回路１８に入力され、変換されたＱ信号は、スイッチ２２を介してアナログベースバンド回路２３に入力される。アナログベースバンド回路１８及び２３は、コントローラ３６から入力された中間周波数制御信号Ｓｉｆに基づく中間周波数で、それぞれ入力されたＩ信号及びＱ信号の帯域と利得とを調整して各中間周波信号を生成し、生成された各中間周波信号をそれぞれスイッチ２１，１１及び２６，１４を介してそれぞれ混合器１２及び１５に出力する。混合器１２は、無線ＬＡＮ用基準クロックＣＬＫｗに基づく局部発振周波数を有する局部発振信号と、スイッチ２１，１１を介して入力されたＩ信号の中間周波信号とを混合し、スイッチ１３を介して混合後の信号をＢＰＦ１０に出力する。混合器１５は、上記局部発振信号をさらに９０度移相器３３により移相した局部発振信号と、スイッチ２６，１４を介して入力されたＱ信号の中間周波信号とを混合し、スイッチ１６を介して混合後の信号をＢＰＦ１０に出力する。混合後の各信号は、信号合成器３７により１つの信号に合成された後、ＢＰＦ１０により所望の帯域成分を通過させかつ不要周波数成分を除去された後、ＰＡ９により電力増幅され、スイッチ６を介してアンテナ２から無線送信される。
【００２８】
なお、無線ＬＡＮ送信時に動作する必要の無い回路（例えば、ＢＰＦ３，７、ＬＮＡ４，８、ＡＤＣ２７及びデジタル復調器２８，２９）は、図示しない上位レイヤである信号処理回路等からの制御信号により電流をオフにされて省電力モードに制御されてもよい。
【００２９】
次に、アンテナ１から、ＧＰＳ通信による無線信号を受信する場合の動作について説明する。
【００３０】
コントローラ３６は、スイッチ５，３０，３５を接点ｂ側に切り替え、ＰＬＬ回路３４の局部発振周波数をＧＰＳ通信用の値に設定する切替信号ＳＳＷ１と、スイッチ６，１１，１３，１４，１６，１７，２１，２２，２６を接点ａ側に切り替える切替信号ＳＳＷ２と、アナログベースバンド回路１８及び２３の中間周波数をＧＰＳ受信に適した値に制御する中間周波数制御信号Ｓｉｆを出力する。アンテナ１から入力されたＧＰＳ通信による無線受信信号は、ＢＰＦ３に入力され、所望の受信信号を帯域通過ろ波されかつ不要周波数成分を除去された後、ＬＮＡ４により増幅される。ＬＮＡ４により増幅されたＧＰＳ受信信号は、スイッチ５の接点ｂ及びスイッチ１１の接点ａを介して混合器１２に入力されるとともに、スイッチ５からスイッチ１４の接点ａを介して混合器１５に入力される。混合器１２は、ＧＰＳ通信用基準クロックＣＬＫｇに基づく局部発振周波数を有する局部発振信号と、受信ＧＰＳ信号とを混合し、混合後の信号をスイッチ１３，１７を介してアナログベースバンド回路１８に出力する。混合器１５は、上記局部発振信号をさらに９０度移相器３３により移相した局部発振信号と、受信ＧＰＳ信号とを混合し、混合後の信号をスイッチ１６，２２を介してアナログベースバンド回路２３に出力する。アナログベースバンド回路１８及び２３は、コントローラ３６から入力された中間周波数制御信号Ｓｉｆに基づく中間周波数で、それぞれ入力されたＩ信号及びＱ信号の帯域と利得を調整して各中間周波信号を生成し、生成された各中間周波信号をそれぞれスイッチ２１及び２６を介してＡＤＣ２７に出力する。ＡＤＣ２７は、各中間周波信号を、ＧＰＳ通信用サンプルクロックＣＬＫＳＡＭｇに基づいて受信デジタル信号にアナログ／デジタル変換し、変換後の各受信デジタル信号をデジタル復調器２８に出力する。デジタル復調器２８は、変換後の各受信デジタル信号を１つのデジタルデータにデジタル復調し、ＧＰＳ受信データＤｒｃｖｇとして出力する。
【００３１】
なお、ＧＰＳ受信時に動作する必要の無い回路（例えば、ＢＰＦ７，１０、ＬＮＡ８、ＰＡ９、デジタル復調器２９、ＤＡＣ３１及びデジタル変調器３２）は、図示しない上位レイヤである信号処理回路等からの制御信号により電流をオフにされて省電力モードに制御されてもよい。
【００３２】
以上説明したように、本実施形態に係る無線通信装置は、無線ＬＡＮ通信の送信、無線ＬＡＮ通信の受信及びＧＰＳ通信の受信において、混合器１２，１５と、アナログベースバンド回路１８，２３と、移相器３３と、ＰＬＬ回路３４と、ＡＤＣ２７とを共用することにより、回路部品点数を低減し、小型かつ低コストで、複数の無線通信を行う無線通信装置を実現することができる。
【産業上の利用可能性】
【００３３】
本発明に係る無線通信装置によれば、受信時において、受信された無線受信信号を混合手段に入力し、混合手段からの混合後の信号をフィルタ手段に入力し、中間周波増幅手段からの中間周波信号を出力する一方、送信時において、送信される中間周波信号をフィルタ手段に入力し、中間周波増幅手段からの中間周波信号を混合手段に入力し、混合手段からの混合後の信号を出力するように切り替えるスイッチ手段を備えることにより、混合手段とフィルタ手段と中間周波増幅手段とを送受信で共用でき、その結果、回路部品点数を低減して小型かつ低コストである無線通信装置を実現することができる。本発明は、例えば、携帯電話等の携帯端末装置の無線通信装置として利用することができる。
【図面の簡単な説明】
【００３４】
【図１】本発明の一実施形態に係る無線通信装置の構成を示すブロック図である。
【符号の説明】
【００３５】
１，２…アンテナ、
３，７，１０…帯域通過フィルタ（ＢＰＦ）、
４，８…低雑音増幅器（ＬＮＡ）、
９…電力増幅器（ＰＡ）、
５，６，１１，１３，１４，１６，１７，２１，２２，２６，３０，３５…スイッチ、
１２，１５…混合器、
１８，２３…アナログベースバンド回路、
１９，２４…低域通過フィルタ（ＬＰＦ）、
２０，２５…可変利得増幅器（ＶＧＡ）、
２７…アナログデジタル変換器（ＡＤＣ）、
３１…デジタルアナログ変換器（ＤＡＣ）、
２８，２９…デジタル復調器、
３２…デジタル変調器、
３３…９０度移相器、
３４…位相ロックループ回路（ＰＬＬ回路）、
３６…コントローラ、
３７…信号合成器。
【図１】
2008177911.tif 000003